(57)【要約】【課題】空気調和機の清掃・修理時の解体・取付けが安全かつ容易にできるとともに、作業者が誤まった方法・手順で作業が行われないようにすること。【解決手段】可動又は着脱可能な部品を有する空気調和機において、空気調和機の清掃・修理時における可動又は着脱可能な部品の解体・取付の作業手順、方法を空気調和機に表示するものである。作業手順は、作業者が誤まった方法・手順で清掃・修理時の空気調和機の解体・取付けを行なわないように、簡単な言葉で、かつ作業を行なう順番で明記されている。【選択図】        図１
2004212045.tif 000002
【特許請求の範囲】
【請求項１】
可動又は着脱可能な部品を有する空気調和機において、
空気調和機の清掃・修理時における前記可動又は着脱可能な部品の解体・取付の作業手順、方法を空気調和機に表示することを特徴とする空気調和機。
【発明の詳細な説明】
【技術分野】
【０００１】
この発明は、空気調和機に関するもので、詳しくは空気調和機の清掃・修理時の解体・取付けの際、作業者が安全かつ間違いなく作業が出来るようにするための作業方法、手順の表示に関するものである。
【背景技術】
【０００２】
従来、空気調和機の清掃は専門業者が行い、使用者が行うことは少なかった。しかし、近年空気調和機からの臭い、カビ、ほこり等の問題が報道され、使用者の空気調和機の清掃が注目されている。しかも使用者が、容易に空気調和機を洗浄することができるスプレー等も市販されている。しかし、従来の空気調和機は、使用者が容易に解体・取付けができなかったため、洗浄スプレーを使用しても、表面の熱交換器のみの洗浄になり、内部のケーシング、ファンなどの清掃を行なうことができなかった。
【特許文献１】特開平９−４９１６号公報
【発明の開示】
【発明が解決しようとする課題】
【０００３】
従来の空気調和機には、清掃・修理時の解体・取付けの手順が表示されていないため、誤まった作業方法・手順により、製品の破壊や作業者がケガをする恐れがあった。
【０００４】
この発明は、上記のような問題点を解消するためになされたもので、空気調和機の清掃・修理時の解体・取付けが安全かつ容易にできるとともに、作業者が誤まった方法・手順で作業が行われないようにすることを目的とする。
【課題を解決するための手段】
【０００５】
この発明に係る空気調和機は、可動又は着脱可能な部品を有する空気調和機において、空気調和機の清掃・修理時における可動又は着脱可能な部品の解体・取付の作業手順、方法を空気調和機に表示するものである。
【発明の効果】
【０００６】
この発明に係る空気調和機は、空気調和機の清掃・修理時における可動又は着脱可能な部品の解体・取付の作業手順、方法を空気調和機に表示することにより、清掃・修理時の空気調和機の解体・取付けの作業手順・方法を誤まることなくかつ安全に作業が行なう効果が得られる。
【発明を実施するための最良の形態】
【０００７】
実施の形態１．
以下、この発明の実施の形態１を図面を用いて説明する。
図１〜３は実施の形態１を示す図で、図１は空気調和機の室内機に清掃・修理する場合の作業方法・手順を表示した例を示す斜視図、図２は空気調和機の室内機の解体方法の例を示した図、図３は左右風向調整板を可動させる場合の作業手順を表示した例を示す図である。
【０００８】
図１において、１は室内機の吹出し口の方向を変化させる上下風向調整板であり、この上下風向調整板１に、可動又は着脱方向を表す記号又は言葉を用いて解体方法が表示された解体方法表示部が設けられている。また、室内機には解体手順表示部３が設けられ、この解体手順表示部３には記号又は言葉を用いて表示した解体方法表示部２の解体方法を用いて、清掃・修理時の空気調和機の解体・取付けなどを行う作業手順が明記されている。作業手順は、作業者が誤まった方法・手順で清掃・修理時の空気調和機の解体・取付けを行なわないように、簡単な言葉で、かつ作業を行なう順番で明記されている。
【０００９】
図２は空気調和機の室内機の解体方法の例を示した図であり、空気調和機の吹出し方向を変化させる上下風向調整板１の解体方法・手順を製品又は取扱説明書又はサービスマニュアルに表示する。
【００１０】
上下風向調整板１の可動する可動軸１２の近傍に可動方向を示した矢印等の記号１０や、必要であれば言葉１１を刻印、シール、印刷等で作業方法が表示されている。
【００１１】
また、可動方向を表す記号又は言葉１１ではなく、可動または着脱部品近傍に数字、文字等１３を表示し、図１の解体手順表示部３の部分、取扱説明書、サービスマニュアルの全てもしくは一部に、可動または着脱部品近傍に表示した数字、文字等１３を用いて作業方法、手順の説明が表示されている。
【００１２】
取扱説明書又はサービスマニュアルに表示する場合、図２に示すように，製品の一部を拡大した図である（ａ）〜（ｆ）などを用いて作業者が理解し易いように作業方法・手順を明記する。
【００１３】
図３は左右風向調整板を可動させる場合の作業手順を表示した一例である。作業者が安全かつ容易に、しかも誤まった作業方法・手順を行なわないように、左右風向調整板１６の可動方向に矢印等の可動方向を表す記号１７を用いて作業方法を表示し、（ａ）、（ｂ）のように作業の順番で表示する。表示スペースがある場合、言葉による説明も付け加える。
【００１４】
この発明は、作業方法・手順を明記し、清掃・修理時の解体・取付けが安全かつ容易にできるとともに、作業者が誤まった手順の作業が行なわないようにすることを目的とするため、表示スペースに限りがあり図と言葉を用いた説明が出来ない場合、図と言葉のいずれかを表示し説明を行う。
【００１５】
上述の実施の形態では、可動又は着脱可能な部品として、上下風向調整板及び左右風向調整板について説明したが、これに限られたものではない。
【００１６】
この発明に係る空気調和機は、可動又は着脱する部品の近傍に、可動又は着脱方向などの作業方法を示した矢印等の記号又は言葉を表示するものである。
【００１７】
そのように構成することにより、容易に可動又は着脱方向などの作業を行うことができる。
【００１８】
また、この発明に係る空気調和機は、可動又は着脱可能な部品近傍に表示した作業方法を表す記号又は言葉を用いて、作業手順を表示するものである。
【００１９】
そのように構成することにより、清掃・修理時の空気調和機の解体・取付けの作業手順・方法を誤まることなくかつ安全に作業が行なう効果が得られる。
【００２０】
また、この発明に係る空気調和機は、可動又は着脱可能な部品近傍に、数字又は文字を表示し、その数字又は文字を用いて作業方法、手順を表示するものである。
【００２１】
そのように構成することにより、清掃・修理時の空気調和機の解体・取付けの作業手順・方法を作業者が理解し易いという効果が得られる。
【００２２】
また、この発明に係る空気調和機は、可動又は着脱可能な部品を有する空気調和機において、空気調和機の清掃・修理時における可動又は着脱可能な部品の解体・取付の作業手順、方法を取扱説明書に明記するものである。
【００２３】
そのように構成することにより、清掃・修理時の空気調和機の解体・取付けの作業手順・方法を誤まることなくかつ安全に作業が行なう効果が得られる。
【００２４】
また、この発明に係る空気調和機は、可動又は着脱可能な部品を有する空気調和機において、空気調和機の清掃・修理時における可動又は着脱可能な部品の解体・取付の作業手順、方法をサービスマニュアルに明記するものである。
【００２５】
そのように構成することにより、清掃・修理時の空気調和機の解体・取付けの作業手順・方法を誤まることなくかつ安全に作業が行なう効果が得られる。
【図面の簡単な説明】
【００２６】
【図１】実施の形態１を示す図で、空気調和機の室内機に清掃・修理する場合の作業方法・手順を表示した例を示す斜視図である。
【図２】実施の形態１を示す図で、空気調和機の室内機の解体方法の例を示した図である。
【図３】実施の形態１を示す図で、左右風向調整板を可動させる場合の作業手順を表示した例を示す図である。
【符号の説明】
【００２７】
１  上下風向調整板、２  解体方法表示部、３  解体手順表示部、１０  記号、１１  言葉、１２  可動軸、１３  数字、文字等、１６  左右風向調整板、１７  可動方向を表す記号。
【図１】
2004212045.tif 000003
【図２】
2004212045.tif 000004
【図３】
2004212045.tif 000005